(57)【要約】【課題】熱交換器におけるコルゲートフィンの接合強度を高める。【解決手段】プレートフィン熱交換器１は、コルゲートフィン３とチューブプレート２とを備える。コルゲートフィンの山頂部３１と谷底部３２との間の中間部３３には、当該コルゲートフィンの表面よりも凸となった凸条部３４が、第１の方向に並んで複数設けられている。山頂部及び谷底部においてチューブプレートに当接する表面はそれぞれ、凸条部が設けられていない当接面３１０、３２０に構成される。各凸条部と、山頂部及び前記谷底部の当接面との間には、当接面から離れるに従い、表面から次第に突出する徐変部３４１が、凸条部に連続するように設けられる。【選択図】図５
2015152225.tif 000002
【特許請求の範囲】
【請求項１】
第１の方向に尾根線が延びる山頂部と第１の方向に谷線が延びる谷底部とが、第１の方向に直交する第２の方向に交互に配設されると共に、前記山頂部と前記谷底部との間が中間部によってつながれることによって構成されたコルゲートフィンと、
前記コルゲートフィンを挟むように配設されかつ、前記コルゲートフィンの前記山頂部の表面及び前記谷底部の表面にそれぞれ当接した状態で、当該コルゲートフィンに接合されるよう構成されたチューブプレートと、を備え、
前記コルゲートフィンの前記中間部には、当該コルゲートフィンの表面よりも凸となりかつ、前記山頂部と前記谷底部との間で延びる複数の凸条部が、前記第１の方向に並設しており、
前記山頂部において前記チューブプレートに当接する前記表面、及び、前記谷底部において前記チューブプレートに当接する前記表面はそれぞれ、前記凸条部が設けられていない当接面に構成され、
前記各凸条部と、前記山頂部及び前記谷底部の当接面との間には、前記当接面から離れるに従い、前記コルゲートフィンの表面から次第に突出する徐変部が、前記凸条部に連続するように設けられているプレートフィン熱交換器。
【請求項２】
請求項１に記載のプレートフィン熱交換器において、
前記コルゲートフィンの前記山頂部及び前記谷底部はそれぞれ、湾曲しており、
前記徐変部は、前記山頂部及び前記谷底部の湾曲に沿うように設けられているプレートフィン熱交換器。
【請求項３】
請求項１又は２に記載のプレートフィン熱交換器において、
前記コルゲートフィンと前記チューブプレートとは、ろう付けによって互いに接合されており、
前記徐変部と前記チューブプレートとの間には、ろう付けの最中に、ろう材が集まることによって形成されるフィレットが設けられているプレートフィン熱交換器。
【請求項４】
請求項１〜３のいずれか１項に記載のプレートフィン熱交換器において、
前記コルゲートフィンには、複数の溝状の凹凸を設ける折り目加工が施されており、
前記凸条部及び徐変部は、前記折り目加工によって設けられた凹部分又は凸部分によって構成されているプレートフィン熱交換器。
【請求項５】
請求項４に記載のプレートフィン熱交換器において、
前記折り目加工によって設けられる溝状の凹凸は、前記コルゲートフィンにおいて前記第２の方向に延びており、
前記コルゲートフィンの前記凸条部は、前記山頂部の尾根線及び前記谷底部の谷線に対して直交して配設されているプレートフィン熱交換器。
【請求項６】
熱交換器用のコルゲートフィンを製造する方法であって、
薄板材に対して、所定の方向に延びる溝状の凹凸を交互に設ける折り目加工を施す工程と、
第１の方向に尾根線が延びる山頂部と第１の方向に谷線が延びる谷底部とが、前記第１の方向に直交する第２の方向に交互に配設されるように、前記折り目加工が施された前記薄板材をコルゲートフィンに加工する工程と、を含み、
前記コルゲートフィンに加工している最中に、前記山頂部の表面及び前記谷底部の表面の前記凹凸を潰すことによって、前記山頂部及び前記谷底部に、前記凹凸が設けられていない面を形成する熱交換器用コルゲートフィンの製造方法。
【発明の詳細な説明】
【技術分野】
【０００１】
ここに開示する技術は、プレートフィン熱交換器、及び、熱交換器に用いられるコルゲートフィンの製造方法に関する。
【背景技術】
【０００２】
特許文献１には、コルゲートフィンを備えた熱交換器において、そのコルゲートフィンの全面に微細な凹凸を設けることによって、コルゲートフィンの表面に沿って流れる流体の境界層の発達を防止し、それによって、熱交換器の性能を向上させる技術が記載されている。
【先行技術文献】
【特許文献】
【０００３】
【特許文献１】実開平２−７４８７号公報
【発明の概要】
【発明が解決しようとする課題】
【０００４】
ところで、特許文献１に記載されている熱交換器では、コルゲートフィンの山頂部又は谷底部の表面に、偏平チューブの外表面を当接させた状態で、コルゲートフィンと偏平チューブとを、ろう付けにより接合している。
【０００５】
しかしながら、前述したように、このコルゲートフィンの表面には微細な凹凸が設けられていることから、凹凸した面と偏平チューブの外表面とが互いに当接することになる。その結果、この熱交換器では、コルゲートフィンと偏平チューブとの接合強度が低下してしまうという不都合がある。
【０００６】
ここに開示する技術は、かかる点に鑑みてなされたものであり、その目的とするところは、熱交換器におけるコルゲートフィンの接合強度を高めることにある。
【課題を解決するための手段】
【０００７】
ここに開示するプレートフィン熱交換器は、第１の方向に尾根線が延びる山頂部と第１の方向に谷線が延びる谷底部とが、第１の方向に直交する第２の方向に交互に配設されると共に、前記山頂部と前記谷底部との間が中間部によってつながれることによって構成されたコルゲートフィンと、前記コルゲートフィンを挟むように配設されかつ、前記コルゲートフィンの前記山頂部の表面及び前記谷底部の表面にそれぞれ当接した状態で、当該コルゲートフィンに接合されるよう構成されたチューブプレートと、を備える。
【０００８】
そして、前記コルゲートフィンの前記中間部には、当該コルゲートフィンの表面よりも凸となりかつ、前記山頂部と前記谷底部との間で延びる複数の凸条部が、前記第１の方向に並設しており、前記山頂部において前記チューブプレートに当接する前記表面、及び、前記谷底部において前記チューブプレートに当接する前記表面はそれぞれ、前記凸条部が設けられていない当接面に構成され、前記各凸条部と、前記山頂部及び前記谷底部の当接面との間には、前記当接面から離れるに従い、前記コルゲートフィンの表面から次第に突出する徐変部が、前記凸条部に連続するように設けられている。
【０００９】
この構成によると、チューブプレートとチューブプレートとの間に区画形成されるプレートフィン熱交換器の流路内に、コルゲートフィンが配設される。コルゲートフィンは、山頂部と谷底部とをつなぐ中間部が、流路内を複数のチャンネルに分割する。流体は、各チャンネル内を、第１の方向に流れる。
【００１０】
このコルゲートフィンの中間部には、山頂部と谷底部との間で延びる凸条部が第１の方向、つまり流体の流れる方向に並んで複数設けられている。凸条部は、コルゲートフィンの表面に沿って流れる流体の乱流化を促進し、プレートフィン熱交換器の効率を高める。また、このプレートフィン熱交換器の流路内において流体が冷却される結果、当該流体が凝縮する場合には、コルゲートフィンの中間部に設けた複数の凸条部は、フィン表面の濡れ性を改善し、液滴の排出を促進する。さらに、フィン表面よりも凸となった凸条部は、コルゲートフィン自体の強度の向上にも寄与する。
【００１１】
前記の構成のプレートフィン熱交換器ではまた、コルゲートフィンの山頂部及び谷底部においてチューブプレートに当接する表面が、凸条部が設けられていない当接面に構成されている。当接面に凹凸がないため、コルゲートフィンとチューブプレートとの当接面積が拡大して両者の密着性が高まる。その結果、コルゲートフィンとチューブプレートとの接合強度が高まる。これは、プレートフィン熱交換器の強度向上に有利になる。尚、山頂部の表面は、コルゲートフィンの外表面であり、谷底部の表面も、コルゲートフィンの外表面である。従って、谷底部の表面は、コルゲートフィンについて、山頂部の表面とは逆側の面に相当する。
【００１２】
またコルゲートフィンにおいて、山頂部及び谷底部の当接面と、各凸条部との間には、当接面から離れるに従い、フィン表面から次第に突出する徐変部が、凸条部に連続するように設けられている。徐変部は、凸条部の一部として機能をして、前述した流体の乱流促進等に寄与する。従って、徐変部は、コルゲートフィンの山頂部及び谷底部に当接面を確保しつつ、凸条部をできるだけ広い範囲に亘って設けることを可能にする。その結果、コルゲートフィンとチューブプレートとの接合強度を高めつつ、凸条部により得られる様々な利点を、最大限に確保することが可能になる。
【００１３】
前記コルゲートフィンの前記山頂部及び前記谷底部はそれぞれ、湾曲しており、前記徐変部は、前記山頂部及び前記谷底部の湾曲に沿うように設けられている、としてもよい。
【００１４】
つまり、山頂部及び谷底部がそれぞれ湾曲していることによって、その横断面が、ほぼ正弦波のような形状を有するコルゲートフィンにおいては、徐変部を、山頂部及び谷底部の湾曲に沿うように設けることが好ましい。このことにより、凹凸の無い当接部を確保しつつ、凸条部をできるだけ広い範囲に亘って設けることが可能になる。
【００１５】
前記コルゲートフィンと前記チューブプレートとは、ろう付けによって互いに接合されており、前記徐変部と前記チューブプレートとの間には、ろう付けの最中に、ろう材が集まることによって形成されるフィレットが設けられている、としてもよい。
【００１６】
コルゲートフィンとチューブプレートとの接合部分は、その横断面においては、コルゲートフィンの表面が、山頂部又は谷底部から中間部に至る間でチューブプレートから次第に離れるようになる。コルゲートフィンとチューブプレートとをろう付けしたときには、ろう材が、表面張力によって、コルゲートフィンとチューブプレートとの接合部分に集まり、くさび形状のフィレットを形成する。
【００１７】
前記構成のプレートフィン熱交換器では、コルゲートフィンに、凸条部及び徐変部が設けられており、このうち、徐変部は、コルゲートフィンとチューブプレートとの接合部分の近傍に位置している。徐変部はまた、コルゲートフィンの表面から突出する部分であるため、当該接合部分の近傍において、チューブプレートと徐変部との距離は、チューブプレートとコルゲートフィン表面との距離よりも短くなる。言い換えると、徐変部が設けられた箇所では、山頂部の当接面又は谷底部の当接面から離れても、チューブプレート表面との距離が比較的短い状態に維持される。そのため、徐変部とチューブプレートとの間にも、前述したコルゲートフィン表面とチューブプレートとの接合部分と同様に、表面張力によってろう材が集まってフィレットが形成されるものの、当該フィレットは、徐変部が設けられていない箇所のフィレットに比べて大型化する。こうしてコルゲートフィンにおいて第１の方向に並んで複数設けられる凸状部及び徐変部に対応して、大型のフィレットが複数形成される結果、コルゲートフィンとチューブプレートとのろう付け強度が向上する。このことは、前述したように、山頂部及び谷底部に凹凸の無い当接面を設けること、及び、コルゲートフィンに凸条部を設けることで、コルゲートフィン自体の強度が高まること、と組み合わさって、プレートフィン熱交換器の強度向上に有利になる。
【００１８】
前記コルゲートフィンには、複数の溝状の凹凸を設ける折り目加工が施されており、前記凸条部及び徐変部は、前記折り目加工によって設けられた凹部分又は凸部分によって構成されている、としてもよい。
【００１９】
コルゲートフィンに折り目加工を施すことによって、コルゲートフィンの中間部で、山頂部と谷底部との間で延びる凸条部を、第１の方向に並んで複数設けることが、容易に実現する。
【００２０】
前記折り目加工によって設けられる溝状の凹凸は、前記コルゲートフィンにおいて前記第２の方向に延びており、前記コルゲートフィンの前記凸条部は、前記山頂部の尾根線及び前記谷底部の谷線に対して直交して配設されている、としてもよい。
【００２１】
コルゲートフィンの中間部において、山頂部の尾根線及び谷底部の谷線に対して直交して配設される凸条部は、コルゲートフィン自体の強度を向上させる上で、特に有効である。
【００２２】
ここに開示する技術はまた、熱交換器用のコルゲートフィンを製造する方法に係る。この製造方法は、薄板材に対して、所定の方向に延びる溝状の凹凸を交互に設ける折り目加工を施す工程と、第１の方向に尾根線が延びる山頂部と第１の方向に谷線が延びる谷底部とが、前記第１の方向に直交する第２の方向に交互に配設されるように、前記折り目加工が施された前記薄板材をコルゲートフィンに加工する工程と、を含む。
【００２３】
そして、前記コルゲートフィンに加工している最中に、前記山頂部の表面及び前記谷底部の表面の前記凹凸を潰すことによって、前記山頂部及び前記谷底部に、前記凹凸が設けられていない面を形成する。
【００２４】
この構成によると、薄板材に溝状の複数の凹凸を設ける折り目加工を施した後に、その薄板材をコルゲートフィンに加工することにより、溝状の凹凸が、前述した凸条部を構成するようになる。
【００２５】
また、薄板材をコルゲートフィンに加工する時に、山頂部及び谷底部において薄板材の伸びが生じることと、山頂部及び谷底部を、それぞれ成形型によって、板厚方向に押圧することと、により、薄板材に予め設けられた凹凸を潰すことで、コルゲートフィンの山頂部の表面及び谷底部の表面に、凹凸が設けられていない面を形成する。凹凸の無い面を形成することに伴い、その面の近傍に、凸条部に連続する徐変部を設けることが可能になる。
【００２６】
つまり、前記の製造方法は、山頂部及び谷底部の当接面と、中間部の複数の凸条部と、その当接面と各凸条部との間に徐変部とを備えたコルゲートフィンの製造に適している。
【発明の効果】
【００２７】
以上説明したように、前記のプレートフィン熱交換器は、コルゲートフィンの中間部に複数の凸条部を設ける一方で、山頂部及び谷底部においてチューブプレートと当接する表面は、凹凸の無い当接面としかつ、その当接面の近傍に、凸条部に連続する徐変部を設けることにより、凸条部の機能を最大限に確保しつつも、コルゲートフィンとチューブプレートとの当接面積を大きくして、両者の接合強度を向上させることが可能になる。
【００２８】
また、前記の熱交換器用コルゲートフィンの製造方法によれば、前述した凸条部及び徐変部を有しかつ、山頂部及び谷底部に凹凸の無い当接面を有するコルゲートフィンを容易に製造することが可能になる。
【図面の簡単な説明】
【００２９】
【図１】プレートフィン熱交換器の一部を概念的に示す分解斜視図である。
【図２】プレートフィン熱交換器に用いられるコルゲートフィンを概念的に示す平面図である。
【図３】（ａ）は、図２のIII−III線端面図であり、（ｂ）は、変形例である。
【図４】プレートフィン熱交換器に用いられるコルゲートフィンの製造手順を示す説明図である。
【図５】（ａ）は、プレートフィン熱交換器の所定の断面を示す端面図、（ｂ）は、（ａ）図におけるｂ−ｂ線断面図、（ｃ）は、コルゲートフィンとチューブプレートとのろう付け箇所のフィレット形状を示す図、（ｄ）は、コルゲートフィンとチューブプレートとのろう付け部分を拡大して示す断面図である。
【図６】図２とは形状の異なるコルゲートフィンを示す斜視説明図である。
【図７】矩形波状に構成されたコルゲートフィン用いて構成されたプレートフィン熱交換器の一部を示す端面図である。
【発明を実施するための形態】
【００３０】
以下、熱交換器の実施形態を図面に基づいて説明する。尚、以下に説明をする各図においては、理解容易のために各部の形状を誇張して描いている箇所があり、実際の形状とは、その細部において異なる場合もある。
【００３１】
図１は、プレートフィン熱交換器１の構成を概念的に示す分解斜視図である。プレートフィン熱交換器１では、上下及び左右の方向性が実質的に存在しないが、説明の便宜上、図１の紙面左手前と右奥とを結ぶ方向をＸ方向とし、図１の紙面右手前と左奥とを結ぶ方向をＹ方向とし、図１の紙面下と上とを結ぶ方向をＺ方向とする。Ｘ方向、Ｙ方向及びＺ方向は互いに直交する。図１に示すプレートフィン熱交換器（より正確には、熱交換器コア）１は、複数のチューブプレート２と複数のコルゲートフィン３とを交互に、Ｚ方向に積層した上で、これらをろう付けにより接合して一体化することによって構成されている。図１においては、理解容易のために、１つのコルゲートフィン３と、このコルゲートフィン３を挟む２つのチューブプレート２、２とだけを図示している。２つのチューブプレート２、２と、このチューブプレート２の、Ｙ方向における両端部それぞれに配設される２つのサイドバー４、４とによって、このプレートフィン熱交換器１の対象流体（つまり、第１流体）が流れる第１流路１１が区画される。第１流体との間で熱交換を行う第２流体が流れる第２流路は、図１においては図示しないが、チューブプレート２、２を介して第１流路１１に隣接している。つまり、第１流路１１と第２流路とは、Ｚ方向に隣り合っている。
【００３２】
プレートフィン熱交換器１は、様々な用途で用いられる。例えば、第１流体と第２流体の間で熱交換を行い、第１流体又は第２流体を冷却する用途で用いられる。プレートフィン熱交換器１はまた、それとは逆に、第１流体又は第２流体を加熱する用途で用いられることもある。プレートフィン熱交換器１は、その用途によっては、流路内を流れる流体が冷却される結果、凝縮（液化）することもある。また、プレートフィン熱交換器１は、流路内を流れる流体が加熱される結果、蒸発（気化）することもある。
【００３３】
チューブプレート２は、所定の厚みを有する平板状の部材である。チューブプレート２の厚みは、適宜の厚みに設定することが可能である。チューブプレート２は、熱伝導率の高い材料、例えば金属材料によって構成される。チューブプレート２は、具体的にはアルミニウム、アルミニウム合金、又は、ステンレスによって構成される。但し、ここに挙げた材料に限定されない。チューブプレート２は、第１流路１１と、図１において図示しない第２流路との間に介在し、第１流路１１及び第２流路の一部を区画する。チューブプレート２はまた、第１流路１１を流れる第１流体と、第２流路を流れる第２流体との間で伝熱を行う一次伝熱面を構成する。
【００３４】
コルゲートフィン３は、所定の厚みを有する波板状の部材である。コルゲートフィン３もまた、熱伝導率の高い材料、例えば金属材料によって構成される。コルゲートフィン３は、具体的にはアルミニウム、アルミニウム合金、又は、ステンレスによって構成される。但し、ここに挙げた材料に限定されない。コルゲートフィン３は、第１及び第２流路内において、チューブプレート２に接合した状態で配設される。コルゲートフィン３は、第１及び第２流路内を、Ｙ方向に複数のチャンネルに区画すると共に、二次伝熱面を構成する。
【００３５】
図１、２の例では、コルゲートフィン３は、Ｘ方向に尾根線が延びる山頂部（つまり、トップ）３１と、同じくＸ方向に谷線が延びる谷底部（つまり、ボトム）３２とが、Ｙ方向に交互に配設されて構成されている。図１、２に示すコルゲートフィン３は、山頂部３１は、概ね円弧状に湾曲している。また、谷底部３２も、山頂部３１と同様に、概ね円弧状に湾曲している。山頂部３１と谷底部３２との間を繋ぐ中間部３３は、この例では、Ｚ方向に対して傾斜した直線状である（図５（ａ）も参照）。従って、ここに示すコルゲートフィン３の横断面は、全体として、概ね正弦波状の波形を有している。但し、コルゲートフィン３の波形状は、正弦波状であることには限らない。例えば中間部３３の傾斜角度は適宜の角度に設定することが可能である。中間部３３は、Ｚ方向に延びるように、つまり、Ｚ方向に対して傾斜しないようにしてもよい。また、コルゲートフィン３の谷底部３２から山頂部３１までのＺ方向の高さＡ１（つまり、波の振幅×２）、及び、コルゲートフィン３の山頂部３１と山頂部３１とのＹ方向距離Ｐ１（つまり、波のピッチ）は、それぞれ適宜設定することが可能である。コルゲートフィン３の波の高さＡ１は、当該コルゲートフィン３が配設される流路の高さによって決定される。また、コルゲートフィン３の波のピッチＰ１は、プレートフィン熱交換器１の熱交換性能、及び、流路の圧力損失を含む様々な要因を考慮して決定される。
【００３６】
このコルゲートフィン３の表面には、当該表面から凸設した凸条部３４、及び、当該表面から凹陥した凹条部３５が設けられている。凸条部３４及び凹条部３５の断面形状はそれぞれ、図３（ａ）に示すように、例えば円弧状に湾曲した形状を有している。凸条部３４と凹条部３５とは、Ｘ方向に交互に配置される。尚、プレートフィン熱交換器１内に配設されたコルゲートフィン３においては、上下及び左右の方向性がないため、表面から凸設した凸条部３４は、逆側から見れば、凹陥した凹条部になり得る。ここでは、図３（ａ）に一点鎖線で示す基準に対して一方の側に凸となった部分を凸条部３４とし、その基準に対して他方の側に凸となった部分を凹条部３５とする。凸条部３４及び凹条部３５の湾曲形状は、図３（ａ）に示す形状に限定されない。凸条部３４及び凹条部３５の湾曲形状の曲率は、適宜設定することが可能である。また、凸条部３４及び凹条部３５は、湾曲形状に限らず、図３（ｂ）に示すように、概ね三角形状にしてもよい。
【００３７】
基準から凸条部３４の凸端までの距離Ａ２、及び、基準から凹条部３５の凹端までの距離Ａ２（つまり、波の振幅）は、適宜設定することが可能である。一例として、但し、これに限定されないが、コルゲートフィン３の板厚ｔに対して６５％〜１３５％程度の範囲（つまり、０．６５≦Ａ２／ｔ≦１．３５）となるように、設定してもよい。
【００３８】
図１、２において凸条部３４は、その最も凸となった部分を実線で示しており、凹条部３５は、その最も凹となった部分を実線で示している。凸条部３４及び凹条部３５は、コルゲートフィン３における中間部３３に設けられており、山頂部３１及び谷底部３２には設けられてない。各凸条部３４及び各凹条部３５は、それぞれ、図２に示すように、コルゲートフィン３を平面視で見たとき（つまりＺ方向に見たとき）に、Ｙ方向に延びている。つまり、凸条部３４及び凹条部３５はそれぞれ、Ｘ方向に延びる山頂部３１の尾根線及び谷底部３２の谷線に直交している。また、複数の凸条部３４、及び、複数の凹条部３５は、山頂部３１の尾根線及び谷底部３２の谷線に沿って、Ｘ方向に交互に並んで配置している。凸条部３４及び凹条部３５のピッチＰ２は、適宜設定することが可能である。
【００３９】
尚、このような形状のコルゲートフィン３は、少なくとも第１流路１１内に配設されている。このプレートフィン熱交換器１において、第２流路内に配設されるコルゲートフィンは、前記コルゲートフィン３と同じ形状であっても、コルゲートフィン３とは異なる形状であってもよい。
【００４０】
中間部３３に凸条部３４及び凹条部３５を有するコルゲートフィン３は、次の手順によって製造することが可能である。すなわち、図４に示すように、コルゲートフィン３の材料である薄板状の部材３０を用意し、その薄板状の部材３０に対し、溝状の凹凸を設ける折り目加工を施す（工程Ｐ１参照）。折り目加工は、互いに噛み合う一対の成形ローラ５、５を用いて行うことが可能である。つまり、各成形ローラ５は、大径部と小径部とを有していて、そのローラ面は波形となるように構成されている。薄板状の部材３０を、その一対の成形ローラ５、５の間を通過させることによって、当該部材３０に、溝状の凹凸が多数設けられる。こうして設けられる凹部３０５及び凸部３０４は、それぞれＹ方向に延びると共に、Ｘ方向に並んだ縞状となる。この凸部３０４及び凹部３０５が、コルゲートフィン３における凸条部３４及び凹条部３５を構成する。尚、薄板状の部材３０に対して凹凸を設ける折り目加工は、ローラ対を用いることに限らず、その他の公知の手法を用いることも可能である。ローラ対を利用した加工は、帯状の長い部材に対して連続して折り目加工を施すことが可能になるという利点がある。
【００４１】
こうして折り目加工を施した薄板状の部材３０を、コルゲートフィン３に加工する。コルゲートフィン３に加工する手法としては、公知の様々な手法を適宜採用することが可能である。一例として、但し、これに限定されないが、図４の下図に仮想的に示すような、薄板状の部材３０を挟み込む上下一対の成形歯（つまり、成形型）６、６を用いてもよい。具体的には、薄板状の部材３０をＹ方向に移動させながら、上下一対の成形歯６、６を交互に作動させることによって、コルゲートフィン３の山頂部３１及び谷底部３２を、順次成形するようにしてもよい（工程Ｐ２参照）。
【００４２】
このときに、折り目加工によって薄板状の部材３０に設けた凹凸に対して直交する方向に、尾根線及び谷線が延びるよう、コルゲートフィン３の山頂部３１及び谷底部３２を設けるようにすれば、前述したように、コルゲートフィン３の尾根線及び谷線と、中間部３３に設ける凸条部３４及び凹条部３５とを、互いに直交させることが可能になる。
【００４３】
この成形時には、コルゲートフィン３の山頂部３１及び谷底部３２において、薄板状の部材３０に予め設けた凸部３０４及び凹部３０５が潰れるようにする。つまり、成形時に、山頂部３１及び谷底部３２において材料が伸びることと、成形歯６、６によって、その山頂部３１及び谷底部３２の箇所を板厚方向に押圧することとを組み合わせて、山頂部３１及び谷底部３２の凹凸を潰す。こうすることで、完成後のコルゲートフィン３では、山頂部３１及び谷底部３２のそれぞれには、凸条部３４及び凹条部３５が設けられないことになり、これら山頂部３１及び谷底部３２を、凹凸の無い平らな面にすることが可能になる。この山頂部３１及び谷底部３２に設けられた平らな面は、図５（ａ）及び（ｄ）に示すように、チューブプレート２に当接する当接面３１０、３２０となる。
【００４４】
また、図５（ａ）及び（ｄ）に示すように、山頂部３１及び谷底部３２において凹凸を潰すことに伴い、当接面３１０、３２０の近傍では、その当接面３１０、３２０から離れるに従い、フィン表面から次第に突出する徐変部３４１、３５１が、凸条部３４及び凹条部３５に連続するように設けられる。
【００４５】
ここで図５（ａ）に示す例で、凸条部３４は、コルゲートフィン３の下側の面から凸設しており、その凸条部３４に連続する徐変部３４１は、同図に示す谷底部３２を挟んだＹ方向の両側に配設されている。この徐変部３４１は、谷底部３２の当接面３２０から離れるに従い、フィン表面からの高さが次第に高くなる。この徐変部３４１は、下側のチューブプレート２の表面に近づくように設けられる。一方、当該凸条部３４は、同図に示す山頂部３１に対しては、その当接面３１０とは逆側に位置することになる。この場合、山頂部３１の近傍には、当該凸条部３４の徐変部は設けられない。前述の通り、山頂部３１において凹凸が潰れることで、凸条部３４の形成箇所において、当該山頂部３１の当接面３１０の近傍（つまり、図５（ａ）におけるコルゲートフィン３の上側の面）では、凹凸の無い状態となる。
【００４６】
また、図５（ａ）に仮想的に示すように、当該凸条部３４に対してＸ方向に隣り合う凹条部３５は、コルゲートフィン３の上側の面から凸設するようになる。そのため、山頂部３１の近傍には、この凹条部３５に連続する徐変部３５１が、山頂部３１を挟んだＹ方向の両側に設けられることになる。この徐変部３５１は、山頂部３１の当接面３１０から離れるに従い、フィン表面からの高さが次第に高くなる。この徐変部３５１は、上側のチューブプレート２の表面に近づくように設けられる。この凹条部３５は、谷底部３２に対しては、その当接面３２０とは逆側に位置することになる。この場合、谷底部３２の近傍には、当該凹条部３５の徐変部は設けられない。前述の通り、谷底部３２において凹凸が潰れることで、凹条部３５の形成箇所において、当該谷底部３２の当接面３２０の近傍（つまり、図５（ａ）におけるコルゲートフィン３の下側の面）では、凹凸の無い状態となる。
【００４７】
このような徐変部３４１、３５１は、概ね円弧状に湾曲した山頂部３１又は谷底部３２の近傍で、その湾曲に沿うように設けられる。その結果、図５（ｄ）に拡大して示すように、徐変部３４１とチューブプレート２との距離ｈは、徐変部が設けられていない箇所（つまり、徐変部に対してＸ方向にずれている箇所）よりも短くなる。図５（ｄ）では、徐変部が設けられていない箇所はフィン表面で示されるが、徐変部３４１は、このフィン表面よりも凸である分、チューブプレート２との距離ｈが短くなる。このことを言い換えると、チューブプレート２との距離がｈとなるフィン表面のＹ方向位置と、チューブプレート２との距離が同じｈとなる徐変部３４１のＹ方向位置とを比較すれば、徐変部３４１のＹ方向位置の方が、当接面３２０からより離れる、ことになる。尚、図示は省略するが、凹条部３５の徐変部３５１についても、同様である。
【００４８】
前述したように、プレートフィン熱交換器１は、チューブプレート２とコルゲートフィン３とを、ろう付けによって互いに接合することによって構成される。つまり、チューブプレート２の表面にろう材が設けられた状態で、チューブプレート２とコルゲートフィン３とを交互に積層をすることにより、プレートフィン熱交換器を組み立てる。そうして、この組立後のプレートフィン熱交換器を、例えば真空炉内で減圧及び加熱をすることにより一体化する。このろう付けの最中に、コルゲートフィン３とチューブプレート２との接合箇所においては、表面張力によって、ろう材が集まり、くさび形状のフィレット７が形成される。
【００４９】
ここで、図５（ｄ）に示すように、徐変部３４１（及び３５１）が形成されている箇所では、その徐変部３４１の分だけ、当接面３２０から離れても、チューブプレート２との距離が短い状態に維持される。そのため、徐変部３４１とチューブプレート２との間に形成されるフィレット７は、図５（ｂ）（ｃ）に示すように、徐変部３４１が設けられていない箇所のフィレット７に比べて大型化する。尚、図５（ｂ）は、図５（ａ）のｂ−ｂ線断面図であり、図５（ｃ）は、図５（ａ）示す山頂部３１及び谷底部３２でのフィレット形状を例示する図である。図５（ｂ）、（ｃ）に示す一点鎖線は、凸条部３４及び凹条部３５の形成箇所を示しており、徐変部３４１、３５１は、この凸条部３４及び凹条部３５の形成箇所に設けられることになる。但し、図５（ａ）を参照して説明したように、山頂部３１の近傍には、凸条部３４に連続する徐変部３４１は設けられず、同様に、谷底部３２の近傍には、凹条部３５に連続する徐変部３５１は設けられない。
【００５０】
図５（ｃ）の左側に示す谷底部３２において、凸条部３４の形成箇所では、徐変部３４１が設けられているため、谷底部３２を挟んだＹ方向の両側それぞれで、ろう材が集まって大型のフィレットが形成される。その結果、フィレット７のＹ方向の長さが相対的に長くなり、それ以外の箇所では、フィレット７のＹ方向の長さが相対的に短くなる。より正確には、凸条部３４の形成箇所で最も長くなり、凹条部３５の形成箇所で最も短くなり、凸条部３４と凹条部３５との間でフィレット長さが変化する。
【００５１】
また、図５（ｃ）の右側に示す山頂部３１においては、凸条部３４の形成箇所では、徐変部が設けられていないため、フィレットのＹ方向の長さが最も短くなり、凹条部３５の形成箇所（図５（ａ）において仮想的に示す箇所）では、徐変部３５１が設けられるため、その山頂部３１を挟んだＹ方向の両側それぞれで、ろう材が集まる結果、フィレット７のＹ方向の長さが最も長くなる。そうして、凸条部３４と凹条部３５との間でフィレット長さが変化する。図５（ｃ）に示すように、山頂部３１と谷底部３２とでは、フィレット長さの変化の位相がずれることになる。
【００５２】
ここで、図５（ｃ）においてフィレット７のＹ方向長さが最も短くなる箇所は、前述の通り、凸条部３４又は凹条部３５の徐変部３４１、３５１が設けられない箇所であり、この箇所は、凸条部３４や凹条部３５を設けてない従来形状のコルゲートフィンと同様の形状を有している。従って、このコルゲートフィン３は、従来構成と同程度のフィレット長さＬを最低限、確保した上で、凸条部３４に連続する徐変部３４１及び凹条部３５に連続する徐変部３５１を設けることによって、従来構成よりも長いフィレット長さを得ることができるものである。その結果、コルゲートフィン３とチューブプレート２とのろう付け強度を、従来よりも高くすることが可能になる。
【００５３】
また、コルゲートフィン３の中間部３３に設けられた、Ｙ方向に延びる凸条部３４及び凹条部３５はそれぞれ、コルゲートフィン３自体の強度を向上させる。
【００５４】
そうした凸条部３４及び凹条部３５が設けられた中間部３３に対し、コルゲートフィン３の山頂部３１及び谷底部３２では、凸条部３４及び凹条部３５が設けられていない当接面３１０、３２０が設けられている。この当接面３１０、３２０は、凹凸が無いため、コルゲートフィン３とチューブプレート２との当接面積を大きくする。
【００５５】
こうして、当接面３１０、３２０によってコルゲートフィン３とチューブプレート２との当接面積が大きくなることと、徐変部３４１、３５１によってフィレット７が大型化することとによって、コルゲートフィン３とチューブプレート２との接合強度が高まる上に、凸条部３４及び凹条部３５によって、コルゲートフィン３自体の強度も高まることで、プレートフィン熱交換器１は、その強度が大幅に高まる。
【００５６】
さらに、凸条部３４及び凹条部３５は、コルゲートフィン３の中間部３３によって区画される各チャンネルにおいて、流体の流れ方向に並設されることから、フィン表面に沿って流れる流体の乱流化を促進し、プレートフィン熱交換器１の効率向上に寄与する。また、このプレートフィン熱交換器１内において、流体が凝縮するときには、フィン表面よりも凸となった凸条部３４及び凹条部３５が、コルゲートフィン３の表面の濡れ性を改善し、凝縮した液体をプレートフィン熱交換器１の外部に速やかに排出することを可能にする。
【００５７】
徐変部３４１、３５１はまた、前述したろう材を集める機能の他にも、流体の流れ等に関しては、凸条部３４及び凹条部３５と同様の機能を果たし得るから、徐変部３４１、３５１を設けることによって、凸条部３４及び凹条部３５を、できるだけ広い範囲に亘って設けることが可能になる。
【００５８】
尚、ここに開示する技術は、図１〜５に示した構成のプレートフィン熱交換器１に適用されることに限らず、その他の様々な構成のプレートフィン熱交換器に適用することが可能である。
【００５９】
図６は、コルゲートフィン３の凸条部３４及び凹条部３５に関する変形例を示している。すなわち、図１〜５に示すコルゲートフィン３では、凸条部３４及び凹条部３５をそれぞれ、山頂部３１の尾根線及び谷底部３２の谷線に直交するように設けている。これに対し、図６の変形例では、凸条部３４及び凹条部３５をそれぞれ、山頂部３１の尾根線及び谷底部３２の谷線に対して、所定の角度（但し、９０°以外）で交差するように設けている。つまり、凸条部３４及び凹条部３５を、Ｙ方向に対して傾けている。尚、凸条部３４及び凹条部３５の傾き角は、適宜設定することが可能である。
【００６０】
このような構成のコルゲートフィン３は、同図の左側に示すように、先ず、薄板状の部材３０に対し、斜めに傾いた、溝状の凹凸を設ける折り目加工を施し、その上で、同図の右側に示すように、当該部材３０をコルゲートフィンに加工すればよい。尚、折り目加工及びコルゲートフィン加工は、適宜の、公知の手法を採用することが可能である。この変形例においても、フィン加工時に、折り目加工の際に設けた凹凸を潰すことによって、山頂部３１及び谷底部３２に平らな当接面を設けることにより、当接面と凸条部３４及び凹条部３５の間に徐変部を設けることが可能になる。従って、この変形例のコルゲートフィン３を用いて構成されたプレートフィン熱交換器も、前述したプレートフィン熱交換器１と同じ利点が得られる。
【００６１】
また、凸条部３４及び凹条部３５を設けるコルゲートフィン３は、図１〜５に示す正弦波状の横断断面を有するものに限らない。例えば図７に示すような矩形波状の断面を有するコルゲートフィン３に対して、凸条部３４及び凹条部３５を設けてもよい。
【００６２】
図７に示すような矩形波状のコルゲートフィン３は、それぞれ、ほぼ平板状に構成された山頂部３１及び谷底部３２と、その山頂部３１と谷底部３２とをつなぐと共に、Ｚ方向に延びる中間部３３とを備えて構成される。尚、中間部３３は、Ｚ方向に対して任意の角度で傾けてもよい。
【００６３】
この矩形波状のコルゲートフィン３もまた、前述したように、薄板状の部材に対して、溝状の凹凸を設ける折り目加工を施した後、その薄板状の部材を、コルゲートフィンに加工することで製造可能である。そのフィン加工時に、山頂部３１及び谷底部３２の凹凸を潰すことによって、凸条部３４と徐変部３４１（及び、図７では図示しないが、凹条部と、その凹条部に連続する徐変部）を設けることが可能になる。
【００６４】
矩形波状のコルゲートフィン３では、山頂部３１と中間部３３との間、及び、谷底部３２と中間部３３との間にアールが設けられる。徐変部３４１（及び凹条部に連続する徐変部）は、このアール部分に設けられる。矩形波状のコルゲートフィン３においても、徐変部３４１とチューブプレート２との距離が相対的に短くなるため、表面張力によって集まったろう材で形成されるフィレットは、相対的に大きくなる。よって、矩形波状のコルゲートフィン３を用いて構成されるプレートフィン熱交換器でも、前述したプレートフィン熱交換器１と同じ利点が得られる。
【００６５】
尚、図７に示す矩形波状のコルゲートフィン３に対して、凸条部３４及び凹条部３５は、図１に示すようにＹ方向に延びて設けてもよいし、図６に示すようにＹ方向に傾いて設けてもよい。
【００６６】
また、前述した各構成では、コルゲートフィン３に対し凸条部３４及び凹条部３５の両方を設けるようにしている。これは、図３を示して説明したように、一点鎖線で示す基準に対して一方の側に凸となった部分を凸条部３４とし、その基準に対して他方の側に凸となった部分を凹条部３５とすることである。これに対し、コルゲートフィンに、凸条部又は凹条部の一方のみを設けるようにしてもよい。つまり、基準に対していずれか一方の側に凸となる部分のみを、コルゲートフィンに設ける。このような構成のコルゲートフィンも、コルゲートフィン自体の強度を高めることが可能であると共に、その山頂部及び谷底部に当接面を設けることにより、コルゲートフィンとチューブプレート２との接合強度を高めることが可能になる。
【００６７】
尚、凸条部又は凹条部の一方のみを設けたコルゲートフィンは、徐変部が、図５（ｃ）に示す山頂部３１又は谷底部３２のいずれか一方においてのみ設けられる。その結果、前述した大型のフィレット７も、山頂部３１又は谷底部３２のいずれか一方においてのみ形成されることになる。
【符号の説明】
【００６８】
１  プレートフィン熱交換器
２  チューブプレート
３  コルゲートフィン
３０  薄板状の部材（薄板材）
３１  山頂部
３２  谷底部
３３  中間部
３４  凸条部
３５  凹条部（凸条部）
３１０  当接面
３２０  当接面
３４１  徐変部
３５１  徐変部
７  フィレット
【図１】
2015152225.tif 000003
【図２】
2015152225.tif 000004
【図３】
2015152225.tif 000005
【図４】
2015152225.tif 000006
【図５】
2015152225.tif 000007
【図６】
2015152225.tif 000008
【図７】
2015152225.tif 000009